(57)【要約】【課題】蓋体の開閉状況が手指に伝わる感覚のみならず、音によっても明瞭に把握できる蓋付き容器を提案する。【解決手段】容器本体１の開口部１ｃにねじ止めされ、該容器本体１を密封保持する蓋体３を備えた容器において、該容器本体１の開口部１ｃの外周面または該蓋体３の内周面のいずれか一方には、ねじピッチＰに沿って伸延するリブ４を設け、該リブ４に対向する該蓋体３の内周面または該容器本体１の開口部１ｃの外周面には、該蓋体３の装着完了時および該蓋体３の取り外し開始時に該リブ４を乗り越えて音を発する凸部５を設ける。【選択図】図１
2019043615.tif 000002
【特許請求の範囲】
【請求項１】
容器本体の開口部にねじ止めされ、該容器本体を密封保持する蓋体を備えた容器であって、
該容器本体の開口部の外周面または該蓋体の内周面のいずれか一方にはリブを有し、
該リブに対向する該蓋体の内周面または該容器の開口部の外周面には、該蓋体の装着完了時および該蓋体の取り外し開始時に該リブを乗り越えて音を発する凸部を設けたことを特徴とする蓋付き容器。
【請求項２】
前記リブおよび前記凸部は、ねじピッチと同等のピッチでねじに沿う向きに配置されたものであることを特徴とする請求項１に記載した蓋付き容器。
【請求項３】
前記リブは、環状リブからなり、前記凸部は、弾性変形可能な薄肉の舌片からなる、ことを特徴とする請求項１または２に記載した蓋付き容器。
【請求項４】
前記リブは、頂部を境にして両側に傾斜が付された山形断面を有することを特徴とする請求項１〜３のいずれか１項に記載した蓋付き容器。
【発明の詳細な説明】
【技術分野】
【０００１】
本発明は、蓋付き容器、とくにねじ込み式の蓋体を備えた容器に関するものである。
【背景技術】
【０００２】
内容物の取り出し口が大きく開放された開口部を有する、例えば、ジャータイプの容器等では、特許文献１に見られるように、ねじ込み式の蓋体を用いて容器本体を密封するのが一般的である。
【０００３】
ところで、この種の容器は、蓋体を開け始めるとき、あるいは蓋体を閉じたときに、蓋体が開け始め状態に移行したか、あるいは蓋体が完全に閉まった状態になったのかその判別が容易でなく、この点に関して改善の余地が残されている。
【先行技術文献】
【特許文献】
【０００４】
【特許文献１】特開２０１６−１６４０８２号公報
【発明の概要】
【発明が解決しようとする課題】
【０００５】
本発明の課題は、蓋体の開閉時に手指に伝わる感覚により開閉状況が把握できるだけでなく、音鳴りによっても蓋体の開閉状況が確認できる蓋付き容器を提案するところにある。
【課題を解決するための手段】
【０００６】
本発明は、容器本体の開口部にねじ止めされ、該容器本体を密封保持する蓋体を備えた蓋付き容器であって、
該容器本体の開口部の外周面または該蓋体の内周面のいずれか一方には、リブを有し、
該リブに対向する該蓋体の内周面または該容器の開口部の外周面には、該蓋体の装着完了時および該蓋体の取り外し開始時に該リブを乗り越えて音を発する凸部を設けたことを特徴とする蓋付き容器である。
【０００７】
上記の構成からなる蓋付き容器において、前記リブおよび前記凸部は、ねじピッチと同等のピッチでねじに沿う向きに配置されたものであること、また、前記リブは、環状リブからなり、前記凸部は、弾性変形可能な薄肉の舌片からなること、さらに、前記リブは、頂部を境に両側に傾斜が付された山形断面を有すること、が課題解決のための具体的手段として好ましい。
【発明の効果】
【０００８】
本発明の蓋付き容器によれば、蓋体の開閉時に該凸部がリブを乗り超える際の手指の感覚を得ることができるだけでなく、それと同時に音を発することから、蓋体が開状態あるいは閉状態になったことを確実に把握することができる。
【０００９】
また、本発明にしたがう蓋付き容器においては、蓋体が閉状態におかれたとき、凸部が蓋体の回転を防止するストッパとして機能するため、容器の落下や他の物品との接触等により蓋体に所期しない力が作用しても簡単に緩むことがない。
【００１０】
また、本発明の蓋付き容器によれば、リブおよび凸部を、ねじピッチと同等のピッチでねじに沿う向きに配置するとともに、該リブを、環状リブからなるものとし、凸部を、弾性変形可能な薄肉の舌片とすることにより、蓋体の開閉時に確実に音を鳴らすることができる。
【００１１】
さらに、本発明の蓋付き容器によれば、リブを、頂部を境にして両側に傾斜が付された山形断面を有するものにて構成するようにしたため、凸部がリブに当接しながらその傾斜を移動するため蓋体の回転がスムーズになる。
【図面の簡単な説明】
【００１２】
【図１】本発明にしたがう蓋付き容器の実施の形態をその側面について模式的に示した図である（中心線を境にして右側半分を断面表示）。
【図２】図１のＡ−Ａ矢視を蓋体の内周面について示した図である。
【図３】蓋体の取り外し開始時における凸部の変形状況を要部について示した図である。
【図４】蓋体の装着完了時における凸部の変形状況を要部について示した図である。
【図５】本発明にしたがう蓋付き容器の要部を拡大して示した図である。
【発明を実施するための最良の形態】
【００１３】
以下、図面を参照して本発明をより具体的に説明する。
図１は、本発明にしたがう蓋付き容器の実施の形態をその側面について模式的に示した図であり（中心線を境にして右側半分を断面表示）、図２は、図１のＡ−Ａ矢視を蓋体の内周面について示した図である。なお、本発明にしたがう蓋付き容器は、蓋体を含め、容器の全体が合成樹脂によって構成することができるものである。
【００１４】
図における符号１は、内容物の充填空間Ｍを有する容器本体である。容器本体１は、底壁１ａと、該底壁１ａの縁部に一体連結して立ち上がり、その内側に該底壁１ａと協同して内容物の充填空間Ｍを区画形成する周壁１ｂから構成されており、周壁１ｂの上部には、内容物を取り出すための開口部１ｃが形成されている。
【００１５】
また、２は、開口部１ｃの外周面に設けられたねじ部、３は、容器本体１を開口部１ｃにおいて密封保持する蓋体である。蓋体３は、開口部１ｃの上面に位置する天板３ａと、該天板３ａの縁部に垂下保持され、開口部１ｃを取り囲む周壁３ｂとから構成されており、周壁３ｂの内周面には、開口部１ｃの外周壁に設けられたねじ部２に係合可能なねじ部３ｃが設けられている。
【００１６】
また、４は、ねじ部２の下方で開口部１ｃの外周面に設けられたリブである。リブ４は、開口部１ｃの周りを周回する環状リブが適用される。リブ４としては、頂部４ａを境にして傾斜４ｂ、４ｃが付された山形断面をなす横向姿勢（径方向外向き）で構成されたものが好適であり、ねじ部２のねじピッチＰと同等のピッチで、かつ、該ねじ部２に沿う向きに設けられる。リブ４は、間隔をあけて開口部１ｃの周りに断続的に環状に配列される複数の突起で構成されるもの、あるいは、長さの短い単一の突起（短尺の周方向リブ）を適用することも可能である。複数の突起で構成されたリブ４あるいは、単一の突起で構成されたリブ４を適用する場合、これらは、蓋体３を閉じた際に、後述する凸部（符号５）に確実に当接する位置に設けられる。
【００１７】
また、符号５は、蓋体３の周壁３ｂの内周面で、ねじ部３ｃのねじピッチＰと同等のピッチにしてねじ部３ｃに沿う向きに設けられた凸部である。凸部５は、リブ４と対向するように蓋体３の周壁３ｂに設けられるものであって、蓋体３の装着完了時および蓋体３の取り外し開始時に該リブ４を乗り越えることによって音を発する音出し部材として機能する。凸部５は、ここでは弾性変形が可能な薄肉の舌片を例として示しているが、音を確実に発することができるものであれば図示のような舌片に限定はされることはない。凸部５は蓋体３の軸芯Ｏ（図２参照）に対して直交するように設けることができる（水平配置）。
【００１８】
凸部５の周方向長さＨ（図２参照）は、２．０ｍｍ未満では、強度が不足し破損することが懸念される一方、８．０ｍｍを超えるとそれ自体が変形し難くなり音を発することが困難となることも想定される。このため、本発明では、凸部５の周方向長さＨは、２．０〜８．０ｍｍ程度に設定するのが好ましい。凸部５の周方向長さＨは、４．０ｍｍに設定するのが最もよい。さらに、６は、蓋体３の天板３ａの裏面に設けられたシール部材（パッキン）である。
【００１９】
図３は、蓋体３の取り外し開始時における凸部５の変形状況を要部について示した図であり、図４は、蓋体３の装着完了時における凸部５の変形状況を要部について示した図である。
【００２０】
本発明の蓋付き容器は、蓋体３の開閉時には凸部５がリブ４を乗り越える際に図３、図４に示すように変形するため、手指に伝わる感覚だけでなく、音を発することとなるため、開閉状況を確実に把握することができる。また、蓋体３を閉じた状態（図１参照）では、凸部５がリブ４を乗り越えない限り蓋体３は緩むことがないため、蓋体３が不用意に開放されることがない利点を有している。
【００２１】
本発明の実施の形態では、リブ４を容器本体１の開口部１ｃの外周面に設け、凸部５を蓋体３の周壁３ｂの内周面に設けた場合について示したが、リブ４を蓋体３の周壁３ｂの内周面に設け、凸部５を容器本体１の開口部１ｃの外周面に設けてもよいのはいうまでもない。リブ４、凸部５は、上下に沿う向きに複数設けることもできる。
【００２２】
図５は、凸部５の、リブ４に対する重複代（係合代）Ｌ、厚さｔ、長さＷを示した図である。蓋体３の開閉時に凸部５を確実に弾性変形させるため、周方向長さＨを、上述の如く２．０〜８．０ｍｍ程度に設定することに加え、重複代Ｌについては０．２〜２．０ｍｍ程度、厚さｔについては０．５〜１．５ｍｍ程度、長さＷは、１．５〜４．０ｍｍ程度とするのが好ましい。とくに長さＷについては、１．５ｍｍ未満であると、リブ４を径方向外方へ向けて突出させる必要がでてくるため、蓋体３の内周面との間の隙間が狭くなり、蓋体３をスムーズに回転させるのが困難となるおそれがある。一方、長さＷが４．０ｍｍを超えると、蓋体３と開口部１ｃの外周面との間の隙間が大きくなるため、蓋体３のガタツキが大きくなることが懸念される。このため、凸部５の長さＷは、１．５〜４．０ｍｍ程度とするのが好ましい。重複代Ｌは、１．０ｍｍ、厚さｔは、０．８ｍｍ、長さＷは、３．０ｍｍとするのが最もよい。
【００２３】
本発明にしたがう蓋付き容器は、ボトルの口頚部にねじ止めされるキャップあるいはポンプ付き容器の、ポンプと容器とをつなぐねじ止めキャップに適用することも可能であり、ジャータイプの容器にのみ限定されるものではない。
【産業上の利用可能性】
【００２４】
本発明によれば、蓋体の開閉状況が手指に伝わる感覚のみならず、音によっても明瞭に把握し得る蓋付き容器が提供できる。
【符号の説明】
【００２５】
１      容器本体
１ａ    底壁
１ｂ    周壁
１ｃ    開口部
２      ねじ部
３      蓋体
３ａ    天板
３ｂ    周壁
３ｃ    ねじ部
４      リブ
４ａ    頂部
４ｂ、４ｃ    傾斜
５      凸部
６      シール部材（パッキン）
【図１】
2019043615.tif 000003
【図２】
2019043615.tif 000004
【図３】
2019043615.tif 000005
【図４】
2019043615.tif 000006
【図５】
2019043615.tif 000007